【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
配送物を保持する第１のコンテナと、
前記第１のコンテナが取扱者によって移動されることを示す第１の表示に応答して、前記第１のコンテナに関する第１の識別情報を送信する第１のデバイスと、
前記第１のコンテナを保持する第２のコンテナと、
前記第１のコンテナが取扱者によって前記第２のコンテナに置かれたことを示す第２の表示に応答して、前記第２のコンテナに関する第２の識別情報を送信する第２のデバイスと、
前記第１及び第２のデバイスから前記第１及び第２の識別情報をそれぞれ受信する第３のデバイスであって、前記第１及び第２の識別情報と該第３のデバイスに関する第３の識別情報を送信する第３のデバイスと、
前記第３のデバイスから前記第１、第２及び第３の識別情報を受信し、前記第１、第２及び第３の識別情報に応答して前記第１のコンテナを前記第２のコンテナと関連付けるコンピュータシステムと、
を有する配送物のネスティングを追跡するシステム。
【請求項２】
前記第１のコンテナは、前記配送物のトレイを含む、請求項１に記載のシステム。
【請求項３】
前記第１のデバイスは、前記第１のデバイスと結合されたＲＦ識別タグである、請求項１に記載のシステム。
【請求項４】
前記第１の識別情報は、第１のアイテムのグループから選択された少なくとも一つの第１のアイテムを含み、該第１のアイテムのグループは、第１の一意な識別子、配送物のタイプ、配送物の目的地の郵便番号、配送物の最終目的地の住所、配送物の内容の識別子、配送物のサービスタイプの識別子及び配送物の処理コードを含む、請求項１に記載のシステム。
【請求項５】
前記第１の一意な識別子は、前記第１のアイテムのグループにおける他の第１のアイテムの少なくとも一つを代表する走査可能なバーコード番号を含む、請求項４に記載のシステム。
【請求項６】
前記第１の表示は、前記第３のデバイスのインテロゲータが前記第１のデバイスから前記第１の識別情報の受信を開始した後に、前記第３のデバイスにより生成される信号を含む、請求項１に記載のシステム。
【請求項７】
前記第２のコンテナは、鉄道コンテナ、大口郵便長距離輸送（ＢＭＣ）コンテナ、ＢＭＣ室内コンテナ、棚の無い東部領域郵便コンテナ（ＥＲＭＣ）、棚の有るＥＲＭＣ、プラスチックＥＲＭＣ、汎用郵便コンテナ及びワイヤコンテナの少なくとも一つを含む、請求項１に記載のシステム。
【請求項８】
前記第２のデバイスは、前記第２のコンテナと結合されたＲＦ識別タグである、請求項１に記載のシステム。
【請求項９】
前記第２の識別情報は、第２のアイテムのグループから選択された少なくとも一つの第２のアイテムを含み、該第２のアイテムのグループは、第２の一意な識別子、コンテナのタイプ、コンテナの最終目的地、コンテナの内容の識別子及びコンテナの処理コードを含む、請求項１に記載のシステム。
【請求項１０】
前記第２の一意な識別子は、前記第２のアイテムのグループにおける他の第２のアイテムの少なくとも一つを代表する走査可能なバーコード番号を含む、請求項９に記載のシステム。
【請求項１１】
前記第２の表示は、前記第３のデバイスのインテロゲータが前記第２のデバイスから前記第２の識別情報の受信を開始した後に、前記第３のデバイスにより生成される信号を含む、請求項１に記載のシステム。
【請求項１２】
前記第３のデバイスは、取扱者によって操作される携帯コンピュータデバイスである、請求項１に記載のシステム。
【請求項１３】
前記第３の識別情報は、第３の一意な識別子を含む、請求項１に記載のシステム。
【請求項１４】
前記第３の一意な識別子は、前記第３のデバイスを代表する第３のデバイスの識別番号を含む、請求項１３に記載のシステム。
【請求項１５】
前記第１、第２及び第３の識別情報は、無線で送受信される、請求項１に記載のシステム。
【請求項１６】
前記コンピュータシステムは、前記第１、第２及び第３の識別情報を受信し、受信した情報を解決し、解決された情報を関連付け、関連付けられたデータをデータベースに保存する複数のモジュールをさらに含む、請求項１に記載のシステム。
【請求項１７】
取扱者によって移動される第１のコンテナを示す第１の表示に応答して、該第１のコンテナを識別する第１の識別情報を送信するステップと、
前記第１のコンテナを前記第２のコンテナに置く取扱者を示す第２の表示に応答して、前記第２のコンテナを識別する第２の識別情報を送信するステップと、
第３の識別情報を備える携帯コンピュータデバイスにおいて前記第１及び第２の識別情報を受信するステップと、
前記第１、第２および第３の識別情報を関連付けるステップと、
を有する配送物のネスティングを追跡する方法。
【請求項１８】
前記第１のコンテナは、配送物のトレイを含む、請求項１７に記載の方法。
【請求項１９】
前記第１の識別情報を送信するステップは、前記第１のコンテナに結合されたＲＦ識別タグによって実行される、請求項１７に記載の方法。
【請求項２０】
前記第１の識別情報は、第１のアイテムのグループから選択された少なくとも一つの第１のアイテムを含み、該第１のアイテムのグループは、第１の一意な識別子、配送物のタイプ、配送物の目的地の郵便番号、配送物の最終目的地の住所、配送物の内容の識別子、配送物のサービスタイプの識別子及び配送物の処理コードを含む、請求項１７に記載の方法。
【請求項２１】
前記第１の一意な識別子は、前記第１のアイテムのグループにおける他の第１のアイテムの少なくとも一つを代表する走査可能なバーコード番号を含む、請求項２０に記載の方法。
【請求項２２】
前記第２のコンテナは、鉄道コンテナ、大口郵便長距離輸送（ＢＭＣ）コンテナ、ＢＭＣ室内コンテナ、棚の無い東部領域郵便コンテナ（ＥＲＭＣ）、棚の有るＥＲＭＣ、プラスチックＥＲＭＣ、汎用郵便コンテナ及びワイヤコンテナの少なくとも一つを含む、請求項１７に記載の方法。
【請求項２３】
前記第２の識別情報を送信するステップは、前記第２のコンテナに結合されたＲＦ識別タグによって実行される、請求項１７に記載の方法。
【請求項２４】
前記第２の識別情報は、第２のアイテムのグループから選択された少なくとも一つの第２のアイテムを含み、該第２のアイテムのグループは、第２の一意な識別子、コンテナのタイプ、コンテナの最終目的地、コンテナの内容の識別子及びコンテナの処理コードを含む、請求項１７に記載の方法。
【請求項２５】
前記第２の一意な識別子は、前記第２のアイテムのグループにおける他の第２のアイテムの少なくとも一つを代表する走査可能なバーコード番号を含む、請求項２４に記載の方法。
【請求項２６】
前記第１、第２及び第３の識別情報をコンピュータシステムに送信するステップと、
をさらに含む請求項１７に記載の方法。
【請求項２７】
前記第３の識別情報は、第３の一意な識別子を含む、請求項２６に記載の方法。
【請求項２８】
前記第３の一意な識別子は、前記携帯コンピュータデバイスを代表する第３のデバイス識別番号を含む、請求項２７に記載の方法。
【請求項２９】
前記第１、第２及び第３の識別情報は、無線で送信される、請求項２６に記載の方法。
【請求項３０】
前記第１の表示は、前記携帯コンピュータデバイスのインテロゲータが前記第１のデバイスから前記第１の識別情報の受信を開始した後に、前記携帯コンピュータデバイスにより生成される信号を含む、請求項２６に記載の方法。
【請求項３１】
前記第２の表示は、前記携帯コンピュータデバイスのインテロゲータが前記第２のデバイスから前記第２の識別情報の受信を開始した後に、前記携帯コンピュータデバイスにより生成される信号を含む、請求項２６に記載の方法。
【請求項３２】
前記コンピュータシステムは、前記第１、第２及び第３の識別情報を受信し、受信した情報を解決し、解決された情報を関連付け、関連付けられたデータをデータベースに保存する複数のモジュールを含む、請求項２６に記載の方法。
【請求項３３】
前記解決した情報の関連付けは、前記第１、第２及び第３の識別情報に応答して前記第１のコンテナを前記第２のコンテナと関連付けることを含む、請求項３２に記載の方法。